(57)【要約】【課題】  種々の電源から電力供給を受けることができる上に、操作が簡単で、携帯に便利であるスマート型ランプ構造を提供する。【解決手段】  スマート型ランプ構造は、ハウジング構成部材１、制御ユニット２及び電力供給ユニット３を備える。ハウジング構成部材１は、スマート型ランプ構造全体のハウジングであり、上部ハウジング１１及び頭部ハウジング１２から構成される。上部ハウジング１１及び頭部ハウジング１２は、何れも薄板状である。頭部ハウジング１２は、上部ハウジング１１の上方に接合される。上部ハウジング１１の内縁には、螺着ブロックが内側に突設される。螺着ブロックには、制御ユニット２の前記制御ユニット本体及びランプ板２４が螺設される。【選択図】  図４
0003176409.tif 000002
【実用新案登録請求の範囲】
【請求項１】
ハウジング構成部材、制御ユニット及び電力供給ユニットを備えたスマート型ランプ構造であって、
前記ハウジング構成部材は、前記スマート型ランプ構造全体のハウジングであり、上部ハウジング及び頭部ハウジングから構成され、前記上部ハウジング及び前記頭部ハウジングは、何れも薄板状であり、前記頭部ハウジングは、前記上部ハウジングの上方に接合され、前記上部ハウジングの内縁には、螺着ブロックが内側に突設し、前記螺着ブロックには、前記制御ユニットの制御本体及びランプ板が螺設され、
前記制御ユニットは、前記ハウジング構成部材内に接合され、前記スマート型ランプの電源のオン／オフを行い、前記制御ユニット本体、基板、押圧ボタン、前記ランプ板、光源、螺着部材及び制御ばねから構成され、前記制御ユニット本体内には、少なくとも１つの電池装填部が設けられ、前記制御ユニット本体上方には、前記基板が設けられ、前記基板上には、前記押圧ボタンが設けられ、前記押圧ボタンを押圧することにより、前記電力供給ユニットの通電部のオン／オフが行われ、前記押圧ボタン上方には、前記ランプ板が設けられ、前記ランプ板は、前記螺着ブロック上方に螺設され、前記ランプ板上には、前記少なくとも１つの光源が設けられ、前記螺着部材上には、前記制御ばねが嵌合され、前記螺着部材が前記制御ユニット本体及び前記螺着ブロックに螺着されることにより、前記制御ばねは、前記螺着ブロックと前記制御ユニット本体との間に弾性支持され、前記制御ばねの弾性力により、前記押圧ボタンは、押圧された後に弾性復帰し、これにより、前記押圧ボタンは、前記電力供給ユニットの通電部の通電及び遮断を制御し、
前記電力供給ユニットは、前記ハウジング構成部材内に接合され、前記スマート型ランプ構造の回路に接続し、前記通電部、回路制御板、接続ポート、上部通電端子、結合台及び下部通電端子から構成され、前記通電部は、前記制御ユニットの押圧ボタンと接合し、前記通電部と前記押圧ボタンとの間には、スイッチばねが設けられ、前記通電部の側部には、前記回路制御板が連結され、前記回路制御板は、前記電源を制御して前記光源に電力を供給し、前記回路制御板の上端は、前記上部通電端子と共に前記制御ユニットの基板上に固着され、前記回路制御板の下端には、前記電源からの電力を入力する前記接続ポートが設けられ、前記回路制御板に前記上部通電端子が接続されることにより、前記基板が前記制御ユニット本体上に装着された際、前記回路制御板は、前記制御ユニット本体に貫設され、前記接続ポートは、前記制御ユニット本体から突出し、前記上部通電端子は、前記制御ユニット本体の電池装填部上方に配置され、前記結合台上には、少なくとも１つの前記下部通電端子が設けられ、前記下部通電端子は、前記電池装填部下方に配置されることを特徴とするスマート型ランプ構造。
【請求項２】
前記上部ハウジングの下端辺縁には、前記下部ハウジングが嵌合され、前記下部ハウジングには、穿孔が設けられ、前記穿孔には、少なくとも２つの前記足部が貫通され、前記足部の上端は、前記穿孔に貫通されて結合プレート上に嵌合されることを特徴とする請求項１に記載のスマート型ランプ構造。
【請求項３】
前記結合台上には、貫通孔が設けられ、前記結合台の貫通孔の下方には、凸部が突設され、前記接続ポートは、前記制御ユニット本体下方に突出する上、前記貫通孔を貫通して前記凸部内に至り、前記凸部は、外周に設けられたねじ山によりランプソケットに螺着されることを特徴とする請求項１に記載のスマート型ランプ構造。
【考案の詳細な説明】
【技術分野】
【０００１】
本考案は、スマート型ランプ構造に関するものであり、さらに詳しくは、照明用スマート型ランプ構造に関するものである。
【背景技術】
【０００２】
従来の熱対流効果を有するランプは、ランプ本体及びハウジングを少なくとも備えたものである。
【０００３】
ランプ本体は、第１の対流体、光源、第２の対流体、電子部品、対流プレート及びプラグから構成される。第１の対流体の外壁上には、連続した凹凸状の第１の凹溝が複数形成される。第１の対流体の一方の端部には、光源が枢着され、他方の端部には内孔が設けられる。内孔には第２の対流体が装着され、第２の対流体の外壁上には、連続した凹凸状の第２の凹溝が複数形成される。第２の対流体内には、収容孔が設けられる。収容孔には、電子部品が装着される。対流プレート上には、第１の環状孔及び第２の環状孔が設けられる。第１の環状孔は、第２の環状孔の外側に環状に設けられる。対流プレートは、内孔外側に配置され、第１の対流体及び第２の対流体と貼合される。また、第１の環状孔及び第１の凹溝によって通路が形成され、第２の環状孔及び第２の凹溝によって通路が形成される。対流プレートの側面には、プラグが配置される。ランプ本体は、ハウジングにより覆われる。
【０００４】
ハウジングは、グローブ、ハウジング本体及び固定蓋から構成される。グローブは、ハウジング本体の側面上に設けられる。ランプ本体が側面からハウジング本体内に装着されると、光源がグローブに対向される。ハウジング本体のランプ本体が装着される側面には、固定蓋が設けられる。
【０００５】
しかしながら、上述の熱対流効果を有するランプの電源は、プラグから供給されるため、使用する際、対応するソケットに接合する必要があり、プラグが設置されている室内での使用に限定され、携帯にも不便であるという問題点もある。
【考案の概要】
【考案が解決しようとする課題】
【０００６】
従って、本考案の課題は、各種の電源から電力供給を受けることが可能であり、さらに、操作が簡単で、携帯に便利なランプ構造を提供することにある。
【課題を解決するための手段】
【０００７】
そこで、本考案者は、前記の本考案の課題を解決するため、鋭意検討を重ねた結果、後記の通り、電源として電池又はＵＳＢプラグを使用する場合及び両者を併用することに着目し、かかる観点を包含する構成に関する知見に基いて本考案に想到するに至った。
【０００８】
かくして、上記課題を解決するために、本考案によれば、
ハウジング構成部材、制御ユニット及び電力供給ユニットを備えたスマート型ランプ構造であって、
前記ハウジング構成部材は、前記スマート型ランプ構造全体のハウジングであり、上部ハウジング及び頭部ハウジングから構成され、前記上部ハウジング及び前記頭部ハウジングは、何れも薄板状であり、前記頭部ハウジングは、前記上部ハウジングの上方に接合され、前記上部ハウジングの内縁には、螺着ブロックが内側に突設し、前記螺着ブロックには、前記制御ユニットの制御本体及びランプ板が螺設され、
前記制御ユニットは、前記ハウジング構成部材内に接合され、前記スマート型ランプの電源のオン／オフを行い、前記制御ユニット本体、基板、押圧ボタン、前記ランプ板、光源、螺着部材及び制御ばねから構成され、前記制御ユニット本体内には、少なくとも１つの電池装填部が設けられ、前記制御ユニット本体上方には、前記基板が設けられ、前記基板上には、前記押圧ボタンが設けられ、前記押圧ボタンを押圧することにより、前記電力供給ユニットの通電部のオン／オフが行われ、前記押圧ボタン上方には、前記ランプ板が設けられ、前記ランプ板は、前記螺着ブロック上方に螺設され、前記ランプ板上には、前記少なくとも１つの光源が設けられ、前記螺着部材上には、前記制御ばねが嵌合され、前記螺着部材が前記制御ユニット本体及び前記螺着ブロックに螺着されることにより、前記制御ばねは、前記螺着ブロックと前記制御ユニット本体との間に弾性支持され、前記制御ばねの弾性力により、前記押圧ボタンは、押圧された後に弾性復帰し、これにより、前記押圧ボタンは、前記電力供給ユニットの通電部の通電及び遮断を制御し、
前記電力供給ユニットは、前記ハウジング構成部材内に接合され、前記スマート型ランプ構造の回路に接続し、前記通電部、回路制御板、接続ポート、上部通電端子、結合台及び下部通電端子から構成され、前記通電部は、前記制御ユニットの押圧ボタンと接合され、前記通電部と前記押圧ボタンとの間には、スイッチばねが設けられ、前記通電部の側部には、前記回路制御板が連結され、前記回路制御板は、前記電源を制御して前記光源に電力を供給し、前記回路制御板の上端は、前記上部通電端子と共に前記制御ユニットの基板上に固着され、前記回路制御板の下端には、前記電源からの電力を入力する前記接続ポートが設けられ、前記回路制御板に前記上部通電端子が接続されることにより、前記基板が前記制御ユニット本体上に装着された際、前記回路制御板は、前記制御ユニット本体に貫設され、前記接続ポートは、前記制御ユニット本体から突出され、前記上部通電端子は、前記制御ユニット本体の電池装填部上方に配置され、前記結合台上には、少なくとも１つの前記下部通電端子が設けられ、前記下部通電端子は、前記電池装填部下方に配置されることを特徴とするスマート型ランプ構造
が提供される。
【０００９】
前記上部ハウジングの下端辺縁には、前記下部ハウジングが嵌合され、前記下部ハウジングには、穿孔が設けられ、前記穿孔には、少なくとも２つの前記足部が貫通され、前記足部の上端は、前記穿孔に貫通されて結合プレート上に嵌合されることが好ましい。
【００１０】
前記結合台上には、貫通孔が設けられ、前記結合台の貫通孔の下方には、凸部が突設され、前記接続ポートは、前記制御ユニット本体下方に突出する上、前記貫通孔を貫通して前記凸部内に至り、前記凸部は、外周に設けられたねじ山によりランプソケットに螺着されることが好ましい。
【考案の効果】
【００１１】
本考案は、前記の通りの構成からなるスマート型ランプを提供するものであり、種々の電源を利用することができ、取扱い操作も簡単であって、携帯も容易であるなど、利便性も高い。
【図面の簡単な説明】
【００１２】
【図１】本考案の一実施形態に係るスマート型ランプ構造を示す分解斜視図である。
【図２】本考案の一実施形態に係るスマート型ランプ構造を示す斜視図である。
【図３】本考案の一実施形態に係るスマート型ランプ構造を示す断面図である。
【図４】本考案の一実施形態に係るスマート型ランプ構造を示す断面図である。
【図５】本考案の一実施形態に係るスマート型ランプ構造のオン／オフ動作を行うときの状態を示す断面図である。
【図６】本考案の一実施形態に係るスマート型ランプ構造に電池を装填したときの状態を示す断面図である。
【図７】本考案の一実施形態に係るスマート型ランプ構造にＵＳＢプラグを接続した状態を示す断面図である。
【図８】本考案の一実施形態に係るスマート型ランプ構造に電池を装填し、ＵＳＢプラグを接続したときの状態を示す断面図である。
【図９】本考案の一実施形態に係るスマート型ランプ構造を示す斜視図である。
【考案を実施するための最良の形態】
【００１３】
以下、本考案の実施形態について図面に基づいて説明する。なお、これによって本考案が限定されるものではない。
【００１４】
図１を参照する。図１に示すように、本考案の一実施形態に係るスマート型ランプ構造は、少なくともハウジング構成部材１、制御ユニット２及び電力供給ユニット３から構成される。
【００１５】
本考案の一実施形態に係るスマート型ランプ構造のハウジングは、ハウジング構成部材１によって構成される。ハウジング構成部材１は、上部ハウジング１１、頭部ハウジング１２、下部ハウジング１３、足部１４及び結合プレート１５から構成される。上部ハウジング１１、頭部ハウジング１２及び下部ハウジング１３は、何れも薄板状である。
図２に示すように、上部ハウジング１１の上方には、頭部ハウジング１２が接合される。頭部ハウジング１２は、透明材料、透光材料又は導光材料からなる。上部ハウジング１１の内縁には、係合ブロック１１１が設けられる。頭部ハウジング１２の下部には、係合孔１２１が下方に突設される。係合孔１２１内に係合ブロック１１１を係合させると、上部ハウジング１１と頭部ハウジング１２とが接合される。また、上部ハウジング１１の内縁には、螺着ブロック１１２が内側に向かって突設する。螺着ブロック１１２は、制御ユニット２の前記制御ユニット本体及び灯板２４を螺設するために用いられる。下部ハウジング１３は、上部ハウジング１１の下端辺縁に嵌合される。下部ハウジング１３上には、穿孔１３１が設けられる。穿孔１３１には、少なくとも２つの足部１４が貫通される。足部１４の上端は、穿孔１３１に貫通されて結合プレート１５下方の枢着ブロック１５１に嵌合される。また、結合プレート１５には、通孔１５２が設けられる。
【００１６】
図１及び図３を参照する。図１及び図３に示すように、制御ユニット２は、ハウジング構成部材１内に接合され、スマート型ランプの電源のオン／オフを行うために用いられる。制御ユニット２は、制御ユニット本体２１、基板２２、押圧ボタン２３、ランプ板２４、光源２５、螺着部材２６及び制御ばね２７から構成される。制御ユニット本体２１の外縁には、本体ガイド溝２１１が内側に凹設される。本体ガイド溝２１１には、ハウジング構成部材１の上部ハウジング１１の螺着ブロック１１２が嵌合される。前記制御ユニット本体内には、少なくとも１つの電池装填部２１２が設けられる。前記制御ユニット本体上方には、基板２２が設けられる。基板２２は、電池を主とする電源の回路を制御するために用いられる。基板２２側辺には、摺動ガイド溝２２１が設けられる。摺動ガイド溝２２１は、本体ガイド溝２１１に対応し、螺着ブロック１１２が嵌合される。基板２２上には、押圧ボタン２３が設けられる。押圧ボタン２３は、電力供給ユニット３の通電部３１のオン／オフを行う。押圧ボタン２３上方には、ランプ板２４が設けられる。ランプ板２４は、螺着ブロック１１２上方に螺設される。ランプ板２４上には、少なくとも１つの光源２５が設けられる。光源２５には、ＬＥＤを使用することができる。螺着部材２６上には、ねじ山２６１が設けられる。螺着部材２６は、まず、前記制御ユニット本体下方に貫通され、次に、制御ばね２７が嵌合された後、ねじ山２６１が螺着ブロック１１２下方に螺着される。これにより、前記制御ユニット本体は、螺着ブロック１１２下方に螺設される上、制御ばね２７が螺着ブロック１１２と前記制御ユニット本体との間に弾性支持される。制御ばね２７の弾性力により、押圧ボタン２３は、押圧された後に弾性復帰する。これにより、押圧ボタン２３は、電力供給ユニット３の通電部３１の通電及び遮断を制御することができる。
【００１７】
電力供給ユニット３は、ハウジング構成部材１内に接合され、スマート型ランプの回路を接続するために用いられる。電力供給ユニット３は、通電部３１、回路制御板３２、接続ポート３３、上部通電端子３４、結合台３５、下部通電端子３６及び凸部３７から構成される。図１、図３及び図４に示すように、通電部３１は、制御ユニット２の押圧ボタン２３と接合される。通電部３１と押圧ボタン２３との間には、スイッチばね３１１が設けられる。通電部３１の側部には、回路制御板３２が連結される。回路制御板３２は、ＵＳＢを主とする電源を制御し、光源２５に電力を供給することができる。電池４及びＵＳＢ電源が同時に存在する場合は、回路制御板３２により電源及び通電状態を制御する。回路制御板３２上端は、制御ユニット２の基板２２上に固着される。回路制御板３２下端には、接続ポート３３が設けられる。接続ポート３３には、コンピュータからのＵＳＢプラグを接続し、電力を入力することができる。また、回路制御板３２には、少なくとも１つの上部通電端子３４が接続される。上部通電端子３４は、基板２２上に固着される。基板２２が前記制御ユニット本体上に装着される際、回路制御板３２は、前記制御ユニット本体に貫設され、接続ポート３３は、前記制御ユニット本体から突出され、上部通電端子３４は、前記制御ユニット本体の電池装填部２１２上方に配置される。結合台３５上には、貫通孔３５１及び少なくとも１つの下部通電端子３６が設けられる。下部通電端子３６は、結合台３５上に装着され、前記制御ユニット本体の電池装填部２１２下方に配置される。上部通電端子３４と下部通電端子３６と電池装填部２１２内の電池４とが連結されて通電された際、基板２２を介し、光源２５に電力が供給される。また、結合台３５の貫通孔３５１の下方には、凸部３７が突設される。凸部３７の外周には、ねじ山を設けることができる。接続ポート３３は、前記制御ユニット本体下方に突出する上、貫通孔３５１を貫通して凸部３７内に至る。また、凸部３７は、ハウジング構成部材１の結合プレート１５上の通孔１５２に貫通される。
【００１８】
図５を参照する。図５に示すように、本考案の一実施形態に係るスマート型ランプ構造は、押圧方式によって光源のオン／オフが制御される。通電されていない状態において、ハウジング構成部材１の頭部ハウジング１２が下方に押圧されると、上部ハウジング１１も下方に押圧される。この場合、上部ハウジング１１に接合された螺着ブロック１１２上のランプ板２４も下方に押圧され、ランプ板２４下端が押圧ボタン２３を下方に押圧する。次に、押圧ボタン２３が通電部３１に接触することにより、通電部３１が通電し、光源２５に電力が供給されて発光する。図６に示すように、この場合、下方への押圧動作を停止すると、通電部３１上方のスイッチばね３１１が復帰することにより、押圧ボタン２３がランプ板２４を上方に押し上げる。また、前記制御ユニット本体と上部ハウジング１２との間に介在する制御ばね２７が復帰することにより、上部ハウジング１１が頭部ハウジング１２及びランプ板２４を上方に押し上げる。これにより、上部ハウジング１１、頭部ハウジング１２、押圧ボタン２３、ランプ板２４などの部材が復帰する。反対に、光源２５をオフにする必要がある場合、図５に示すように、頭部ハウジング１２を再び押圧すると、内部の押圧ボタン２３が通電部３１に再び接触する。通電状態であった通電部３１に押圧ボタン２３が再び接触されることにより、通電部３１が遮断され、光源２５に供給されていた電力が遮断され、ランプがオフとなる。上述したことから分かるように、本考案の一実施形態に係るスマート型ランプ構造は、操作が簡単である。ここで、本実施形態に係るスマート型ランプ構造は、頭部ハウジング１２を押圧することによってのみ、ランプのオン／オフが行われるわけではなく、上部ハウジング１１、頭部ハウジング１２、押圧ボタン２３及びランプ板２４が何れも連結関係にあるため、上部ハウジング１１、頭部ハウジング１２、押圧ボタン２３、ランプ板２４などの部材を下方に押圧し、押圧ボタン２３を通電部３１に接触させることにより、ランプのオン／オフを行うこともできる。
【００１９】
図３及び図４を参照する。図３及び図４に示すように、本考案の一実施形態に係るスマート型ランプ構造は、電源を制御することができる。図３及び図４に示す実施形態においては、電池４が電源とされる。電池４は、制御ユニット２の前記制御ユニット本体の電池装填部２１２内に装填される。電池４は、電池装填部２１２の上下の上部通電端子３４と下部通電端子３６との間に装填される。上部通電端子３４と下部通電端子３６と電池４とにより、通電回路が形成される。また、基板２２を介し、電池４の電力が光源２５に供給される。また、図７に示すように、ＵＳＢプラグ５から電力を入力することができる。ＵＳＢプラグ５は、電力供給ユニット３の接続ポート３３に装着され、ＵＳＢプラグ５から電力が直接入力される。ＵＳＢプラグ５から入力された電力は、回路制御板３２を介し、光源２５に供給される。また、図８に示すように、電池４が装填された上、ＵＳＢプラグ５が装着された状況においては、回路制御板３２が電源を制御することができる。電池４が充電池である上、電池４内部の電力が満充電でない場合、回路制御板３２は、ＵＳＢプラグ５からの電力の一部を光源２５に供給し、ＵＳＢプラグ５からの電力の他の一部を電池４に入力して充電を行う上、電池４から光源２５への回路を遮断する。また、電池４内部の電力が満充電の場合、回路制御板３２は、ＵＳＢプラグ５からの電力を光源２５に供給する上、電池４から光源２５への回路を遮断する。これにより、他の電源から電池４に電力が入力されたり、電池４から他の電源に電力が出力されたりすることがない。また、ＵＳＢプラグ５からの電力が光源２５に正常に供給できなくなった場合、回路制御板３２は、電池４から光源２５への回路を即座に接続する。上述したことから分かるように、本考案の一実施形態に係るスマート型ランプ構造は、光源への電力供給を好適に制御することができるため、安全性、簡便性及び選択の多様性を得ることができる。
【００２０】
図２に示すように、本考案の一実施形態に係るスマート型ランプ構造は、様々な形状に変更することもできる。ハウジング構成部材１は、上部ハウジング１１、頭部ハウジング１２、下部ハウジング１３及び足部１４が組み立てられたものである。上部ハウジング１１、頭部ハウジング１２及び下部ハウジング１３の形状は、何れも円弧形であり、組み合わされて卵形に形成される。また、組み合わされる足部１４は、全体構造を支持して平面上に直立させることができる。また、図９に示すように、下部ハウジング１３から足部１４を取り外し、電力供給ユニット３の凸部３７外周のねじ山を一般のランプソケットに螺着することにより、一般の電球として使用することができる。これにより、ランプソケットの寿命を延長することができる上、ランプの実用価値を高め、使用する際の多様性を高め、環境保護に寄与することもできる。
【００２１】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ハウジング構成部材
２  制御ユニット
３  電力供給ユニット
４  電池
５  ＵＳＢプラグ
１１  上部ハウジング
１２  頭部ハウジング
１３  下部ハウジング
１４  足部
１５  結合プレート
２１  制御本体
２２  基板
２３  押圧ボタン
２４  ランプ板
２５  光源
２６  螺着部材
２７  制御ばね
３１  通電部
３２  回路制御板
３３  接続ポート
３４  上部通電端子
３５  結合台
３６  下部通電端子
３７  凸部
１１１  係合ブロック
１１２  螺着ブロック
１２１  係合孔
１３１  穿孔
１５１  枢着ブロック
１５２  通孔
２１１  本体ガイド溝
２１２  電池装填部
２２１  摺動ガイド溝
２６１  ねじ山
３１１  スイッチばね
３５１  貫通孔
【図１】
0003176409.tif 000003
【図２】
0003176409.tif 000004
【図３】
0003176409.tif 000005
【図４】
0003176409.tif 000006
【図５】
0003176409.tif 000007
【図６】
0003176409.tif 000008
【図７】
0003176409.tif 000009
【図８】
0003176409.tif 000010
【図９】
0003176409.tif 000011